(57)【要約】【課題】チェックシートへの入力作業を簡易化するとともに入力データの入力誤り、あるいは不正入力を防止することのできる定型チェック業務の管理システムを提供する。  【解決手段】予め設定された、監視対象機器のチェック対象部位、チェック対象部位のチェック順序、チェックすべき時間帯を記憶したチェックシートマスタデータ１２をもとに、タブレット端末に、今回監視すべき監視対象機器のチェック対象部位、チェック対象部位のチェック順序、チェックすべき時間、監視対象機器のチェック結果を入力する入力チェック欄を含むチェックシート１３を表示するとともに、前記入力チェック欄へのチェック入力があったとき、チェック入力が前記チェック順序に従っているか否か、その入力時刻が前記チェックすべき時間を含む所定の時間帯に含まれるか否かを判定し、判定結果が否であるとき警告メッセージを発する。  【選択図】図４
2012185643.tif 000002
【特許請求の範囲】
【請求項１】
監視対象機器の現在の状態のチェック結果が入力できるチェックシートをタブレット端末に表示し、表示されたチェックシートにしたがって入力されたチェック結果をネットワークを介してサーバに伝送する定型チェック業務管理システムにおいて、
前記タブレット端末は、予め設定された、監視対象機器のチェック対象部位、チェック対象部位のチェック順序、チェックすべき時間帯を記憶したチェックシートマスタデータをもとに、前記タブレット端末に、今回監視すべき監視対象機器のチェック対象部位、チェック対象部位のチェック順序、チェックすべき時間、監視対象機器のチェック結果を入力する入力チェック欄を含むチェックシートを表示するとともに、前記入力チェック欄へのチェック入力があったとき、チェック入力が前記チェック順序に従っているか否か、その入力時刻が前記チェックすべき時間を含む所定の時間帯に含まれるか否かを判定し、判定結果が否であるとき警告メッセージを発することを特徴とする定型チェック業務管理システム。
【請求項２】
監視対象機器の現在の状態のチェック結果が入力できるチェックシートをタブレット端末に表示し、表示されたチェックシートにしたがって入力されたチェック結果をネットワークを介してサーバに伝送する定型チェック業務管理システムにおいて、
前記タブレット端末は、予め設定された、監視対象機器のチェック対象部位、チェック対象部位のチェック順序、チェックすべき時間帯を記憶したチェックシートマスタデータをもとに、前記タブレット端末に、今回監視すべき監視対象機器のチェック対象部位、チェック対象部位のチェック順序、チェックすべき時間、監視対象機器のチェック結果を入力する入力チェック欄を含むチェックシートを表示し、
さらに今回監視すべき監視対象機器のチェック対象部位、チェック対象部位のチェック順序、チェックすべき時間帯を表す検証用データを生成するとともに、
前記入力チェック欄へのチェック入力があったとき、その入力順序が前記チェック順序に従っているか否か、その入力時刻が前記チェックすべき時間帯に含まれるか否かを、前記検証用データをもとに判定し、判定結果が否であるとき警告メッセージを発するとともに前記チェックシートおよび検証用データをサーバに伝送することを特徴とする定型チェック業務管理システム。
【請求項３】
請求項１または２記載の定型チェック業務管理システムにおいて、
前記入力チェック欄へ入力があったときその入力時刻としてタブレット端末のシステム時刻を入力するとともに全てのチェック入力が完了したとき前記チェックシートを前記サーバに伝送することを特徴とする定型チェック業務管理システム。
【請求項４】
請求項１または２記載の定型チェック業務管理システムにおいて、
チェックすべき時間の予め設定した時間前に、タブレット端末を起動してチェック開始時間の到来を報知することを特徴とする定型チェック業務管理システム。
【請求項５】
請求項１または２記載の定型チェック業務管理システムにおいて、
前記サーバは、前記チェックシートおよび検証用データをもとにチェック入力が前記チェック順序に従っているか否か、その入力時刻がチェックすべき時間帯に含まれるか否かを判定し、判定結果が否であるとき警告メッセージを発することを特徴とする定型チェック業務管理システム。
【発明の詳細な説明】
【技術分野】
【０００１】
本発明は、定型チェック業務を管理する管理システムに係り、特に、チェック業務に伴う入力作業を簡易化するとともに不正入力を抑制することのできる定型チェック業務管理システムに関する。
【背景技術】
【０００２】
定型チェック業務に関しては、日々行われるチェック内容を、例えばチェックリストとして自動的に生成し、生成されたチェックリストにしたがってチェック作業が行われる。  例えば、特許文献１には、図面や仕様書などのチェック作業に際して、チェックシートあるいは確認シートを予め作成しておき、それをもとにチェックを行うことにより、チェックの効率化を図るとともにチェック洩れを防ぐことが示されている。また、特許文献２には、過去の点検結果に基づいて、優先して点検すべき点検箇所を表示し、また点検項目を目立たせて点検表を作成することにより、点検漏れを抑制することが示されている。
【先行技術文献】
【特許文献】
【０００３】
【特許文献１】特開２００４−３０３０７２号公報
【特許文献２】特開２００１−２７３１７０号公報
【発明の概要】
【発明が解決しようとする課題】
【０００４】
従来の技術では、日々に行うチェック項目あるいはチェックの手順を自動的に作成することは可能である。しかし、チェック項目あるいはチェックの手順が作成されたとしても、チェック作業が適正に行われたか否かを確認することはできない。
【０００５】
例えば、チェック作業の担当者は、チェックを実施すべき期間（時間帯）として指定された期間にチェックを実施しなくとも、前記チェックの実施時間をチェックを実施すべき期間として指定された期間に改変することが可能であった。
【０００６】
本発明は、このような問題点に鑑みてなされたもので、チェックシートへの入力作業を簡易化するとともに入力データの不正入力あるいは入力誤りを防止することのできる定型チェック業務の管理システムを提供する。
【課題を解決するための手段】
【０００７】
本発明は上記課題を解決するため、次のような手段を採用した。
【０００８】
監視対象機器の現在の状態のチェック結果が入力できるチェックシートをタブレット端末に表示し、表示されたチェックシートにしたがって入力されたチェック結果をネットワークを介してサーバに伝送する定型チェック業務管理システムにおいて、前記タブレット端末は、予め設定された、監視対象機器のチェック対象部位、チェック対象部位のチェック順序、チェックすべき時間帯を記憶したチェックシートマスタデータをもとに、前記タブレット端末に、今回監視すべき監視対象機器のチェック対象部位、チェック対象部位のチェック順序、チェックすべき時間、監視対象機器のチェック結果を入力する入力チェック欄を含むチェックシートを表示するとともに、前記入力チェック欄へのチェック入力があったとき、チェック入力が前記チェック順序に従っているか否か、その入力時刻が前記チェックすべき時間を含む所定の時間帯に含まれるか否かを判定し、判定結果が否であるとき警告メッセージを発する。
【発明の効果】
【０００９】
本発明は、以上の構成を備えるため、チェックシートへの入力作業を簡易化するとともに入力データの入力誤りあるいは不正入力を防止することができる。
【図面の簡単な説明】
【００１０】
【図１】タブレット端末の処理を説明する図である。
【図２】チェックシートマスタデータの例を示す図である。
【図３】当日分チェックシートおよび当日分検証用データの例を示す図である。
【図４】定型チェック業務管理システムの全体構成を説明する図である。
【図５】定型チェック業務管理システムの処理を説明する図である。
【発明を実施するための形態】
【００１１】
以下、本発明の実施形態を添付図面を参照しながら説明する。図１は、本発明の定型チェック業務管理システムを構成するタブレット端末の処理を説明する図である。
【００１２】
図１において、１１はタブレット端末の記憶装置である。該記憶装置１１には後述するチェックシートマスタデータ１２、当日分のチェックシート１３，当日分の検証用データ１４が記憶されている。チェックシートマスタデータ１２には監視対象機器のチェック対象部位、チェックすべき順序、チェックすべき時間帯を表すデータが予め記憶されている。当日分のチェックシート１３には、今回監視すべき監視対象機器のチェック対象部位、チェックすべき順序、チェックすべき時間、監視対象機器をチェックしたときにそのチェック結果を入力する入力チェック欄を含むチェックシートが記憶されている。当日分の検証用データ１４にはタブレット端末で行ったチェック業務の検証に用いるデータが記憶される。
【００１３】
１５は、前記タブレット端末と接続されるサーバの記憶装置であり、タブレット端末から送信された当日分のチェックシート１６および当日分の検証用データ１７を記憶する。
【００１４】
チェック業務を開始するに際して、作業者はタブレット端末を操作して、当日分チェックシートの作成処理を開始させる（ステップＳ１１）。
【００１５】
タブレット端末はチェックシートマスタデータをもとに当日の日付を自動入力して当日分のチェックシート１３および当日分の検証用データ１４を作成して記憶装置１１に保存する。
【００１６】
また、タブレット端末は記憶装置１１に保存されている当日分チェックシート１３をタブレット端末の表示画面に表示する。このとき、タブレット端末は端末を入力可能な状態とし、作業者によるチェック結果を表す入力（ＯＫ，ＮＧ）を随時を受け付ける。
【００１７】
また、入力を受け付けた後には、チェックした日時の入力誤り、チェック順序の誤り、の有無、チェック漏れの有無を検証する（ステップＳ１２，１３）。
【００１８】
当日分のチェック業務が終了したら、当日分チェックシート１３および当日分検証用データ１４を記憶装置１１から読み取り、サーバの記憶装置１５に伝送し、該記憶装置に当日分チェックシート１６および当日分検証用データ１７として保存する（ステップＳ１４）。
【００１９】
サーバは、記憶装置１５から検証対象である当日分チェックシート１６および当日分検証用データ１７を読み込み、チェックした日時の入力誤りおよびチェック順序の誤りの有無、チェック漏れの有無を検証し、入力誤り、あるいはチェック漏れがある場合には、その旨をサーバの表示画面等で報知する（ステップＳ１５，１６）。
【００２０】
図２は、チェックシートマスタデータの例を示す図である。チェックシートマスタデータ１２はテキストデータで作成する。図２に示すように、チェック業務毎にタイトル２０を指定し、以後、ユニークな通し番号２１に続けて、チェック項目内容２２、チェック時刻（タブレット端末にチェックすべき時刻として表示する時刻）２３、許容チェック時間帯（前記チェック時刻２３の許容幅）２４，前提チェック項目（当該チェック作業に先行してチェックしておかなければならないチェック項目）２５、担当する作業者のリスト２６を記載する。なお、必要に応じて図面、イラスト、写真等の添付資料のリンクを貼り付けることもできる。
【００２１】
図３（ａ）は、図２に示すチェックシートマスタデータ１１をもとに作成された当日分チェックシート１３の例を示す図である。
【００２２】
当日分チェックシート１３はタブレット端末の画面に表示され、作業者はこの画面を見ながらチェック作業を実施する。
【００２３】
当日分チェックシートの作成に際しては、図２に示すチェックシートマスタデータのタイトル２０からタイトルを取得し、タイトル３０に入力する。日付３３にはタブレット端末のシステム日付を入力する。チェック項目３１はチェックシートマスタデータのチェック項目２１から情報を取得し、チェック項目内容３２はチェックシートマスタデータのチェック項目内容２２より取得する。また、空白のテキストエリア３４を表示する。また、各チェック作業項目には作業者が正常と判断したときにチェックするＯＫチェックボックス３５、異常と判断したときにチェックするＮＧチェックボックス、作業者名選択入力用のリストボックスを表示させる。チェックボックスの表示は、現在時刻を取得し、取得した現在時刻においてチェック可能なチェックボックスのみ表示する。チェック作業に際して、ＯＫチェックボックス３５あるいはＮＧチェックボックス３６をチェックすると、当該チェックボックスにチェックが入り、同時に前記空白のテキストエリア３４にタブレット端末のシステム日時が入力される。なお、タブレット端末はチェック入力を受け付けたとき、入力された日時がチェックシートマスタデータで指定されたチェック時間帯２４に含まれるか否かをチェックし、含まれない場合は警告メッセージを出力するようにしても良い。
【００２４】
また、タブレット端末は前提チェック条件６５で示されるチェック項目のチェックが完了しているかをチェックし、チェック作業が終わっていれば正常、チェック作業が終わっていなければ、チェック作業の手順を飛ばしたとみなし警告メッセージを出力する。
【００２５】
図３（ｂ）は当日分検証用データ１４の例を示す図である。当日分検証用データの作成に際しては、タイトル６０には図２に示すチェックシートマスタデータのタイトル２０からタイトルを取得して入力する。日付６２にはタブレット端末のシステム日付を入力する。チェック項目６３はチェックシートマスタデータのチェック項目２１から取得し、チェック時間６４はチェックシートマスタデータのチェック時間２４より取得し、前提チェック項目６５はチェックシートマスタデータの前提チェック項目２５から取得する。
【００２６】
図４は、定型チェック業務の管理システムの構成を説明する図である。図において、４１はタブレット端末、４２はタブレット端末とサーバを接続するネットワーク、４３はサーバ、１０はタブレット端末の記憶装置、１５はサーバの記憶装置である。タブレット端末４１は、チェックシートマスタデータを保管し、当日分チェックシートの作成と当日分検証用データの作成を行う。
【００２７】
当日分のチェック業務が完了した場合には、当日分チェックシートデータと当日分検証用データを、ネットワークをを介してサーバ４３に転送する。サーバ４３では、受信した当日分チェックシートデータと当日分検証用データを記憶装置１５に保存する。サーバ４３は保存された前記当日分チェックシートデータと当日分検証用データを用いてチェックシートの検証を行う。
【００２８】
チェックシートの検証に際しては、例えばチェック項目を、その昇順にチェックする。チェック内容としては、チェック実施時間３４がチェックすべき時間帯６４内であること、前提チェック条件６５が付与されているチェック項目においては、前提チェック条件６５で示されるチェック項目のチェックが完了した後にチェックが行われていること、およびリストボックス３７がすべて入力されていることである。
【００２９】
図５は、定型チェック業務管理システムの処理を説明する図である。
【００３０】
タブレット端末は、システム時計をチェックしてチェック作業を行う時間が近づいたか否かを判断し、作業開始時間が近づくと、画面表示を開始し、例えば警報を発して作業時間の到来を報知する。また、このときチェックシートマスタデータ１２をタブレット端末４１の記憶装置から読み込む（ステップＳ５１）。その後、当日分のチェックシート１３を作成して、タブレット端末の記憶装置１０に出力する（ステップＳ５２）。次に当日分の検証用データ１４を作成して、タブレット端末の記憶装置１０に出力する（ステップＳ５３）。
【００３１】
次に、タブレット端末の記憶装置１０から当日分チェックシート１３を読み込み、画面に表示してチェック業務を支援する。例えば、当日分のチェックシート１３にはチェック可能な時間帯にあるチェック項目のみを表示する。また、チェック作業時においては常時、チェック入力と当日分検証用データ１４との照合を行う（ステップＳ５４、５５）。
【００３２】
当日チェック業務が完了したか否かを判定し、完了した場合は、当日分チェックシートと当日分検証用データをサーバへ転送する（ステップＳ５６）。
【００３３】
転送された当日分チェックシート１３と当日分検証用データ１４はサーバの記憶装置１５に記憶される。サーバは記憶装置から当日分チェックシート１３と当日分検証用データ１４を読み込み、全項目のチェックが完了しているか否かを確認する（ステップＳ５７、５８）。
【００３４】
次にチェック時刻が正しいか否かを確認確認する。すなわち、チェック実施時間３４がチェックすべき時間帯６４内であることをチェックする（ステップＳ５９）。
【００３５】
次に、チェック作業がチェック作業順序どおりに行われているか（チェック時刻の追い越しがないか）を確認する（ステップＳ６０）。次に、ステップ５７，５８，５９，６０においてチェックした項目のチェック結果を表示する。チェックに際して不正を検出したときは不正メッセージを出力する（ステップＳ６１）。
【００３６】
以上説明したように、本発明は、同じチェック業務を繰り返し行う定型チェック業務において、チェックシートの生成、チェック業務における入力日時（チェック日を行った日時）をタブレット端末のシステム日時で管理することから、不正入力を抑制することができる。また、検証用の情報（検証用データ）を別途作成し、このデータとチェックシートを利用して検証を行うため、チェックシートを簡略化してチェックシートへの入力誤り、あるいは不正入力をを抑制することができる。
【符号の説明】
【００３７】
１１  記憶装置（タブレット端末用）
１２  チェックシートマスタデータ
１３  当日分チェックシート
１４  当日分検証用データ
１５  記憶装置（サーバ用）
１６  当日分チェックシート
１７  当日分検証用データ
４１  タブレット端末
４２  ネットワーク
４３  サーバ
【図１】
2012185643.tif 000003
【図２】
2012185643.tif 000004
【図３】
2012185643.tif 000005
【図４】
2012185643.tif 000006
【図５】
2012185643.tif 000007